(57)【要約】【課題】  沓摺が後付け可能なドア枠構造およびその組立方法を提供することである。【解決手段】  ドア枠構造１は、ドア枠２の両縦枠材３間の下部に設置された下枠材４の上面に沓摺１８が嵌合され、下枠材４は凹溝体１１を備えた下部材８と、該下部材８に嵌合された上部材９とからなり、下部材８はスラブ６に固定され、凹溝体１１には耐火材１２が充填されたものである。【選択図】図１
2005256398.tif 000002
【特許請求の範囲】
【請求項１】
ドア枠の両縦枠材間の下部に設置された下枠材の上面に沓摺が嵌合され、下枠材は凹溝体を備えた下部材と、該下部材に嵌合された上部材とからなり、下部材はスラブに固定され、凹溝体には耐火材が充填されたことを特徴とするドア枠構造。
【請求項２】
下部材の側面には配管挿入孔を形成するための円形の切り込みが設けられたことを特徴とする請求項１に記載のドア枠構造。
【請求項３】
下枠材のないドア枠をスラブ上面に建て込み、該ドア枠の下枠材が設置される両縦枠間のスラブ上面に、凹溝体を備えた下部材を設置し、該下部材の凹溝体に耐火材を充填した後に上部材を嵌合し、該上部材に沓摺を嵌め込むことを特徴とするドア枠構造の組立方法。
【発明の詳細な説明】
【技術分野】
【０００１】
本発明はドア枠構造およびその組立方法に関するものである。
【背景技術】
【０００２】
近年の建物においては二重床構造が多くなっている。この二重床構造においては、ドア枠構造の沓摺における防火区画処理が問題になり、予め沓摺２２が設置されている場合は、図７に示すように、コンクリートの立ち上がり部２３を構築し、ここのモルタル２４にアンカー２５で沓摺２２を固定して防火区画処理を行っている。また、その他のドア枠構造としては、例えば特開平７−２７９５３８号の発明がある。
【特許文献１】特開平７−２７９５３８号公報
【発明の開示】
【発明が解決しようとする課題】
【０００３】
しかし、上記のドア枠構造は、予め沓摺が設置されているため、コンクリートの立ち上がり部の構築に非常な手間を要していた。しかも、沓摺および立ち上がり部が先行して構築されると、施工時の搬入ルートに段差が生じるため、台車を使った材料の搬入に支障をきたして不便であった。
【０００４】
本発明は、上記のような問題に鑑みてなされたものであり、その目的は、沓摺が後付け可能なドア枠構造およびその組立方法を提供することである。
【課題を解決するための手段】
【０００５】
以上の課題を解決するためのドア枠構造は、ドア枠の両縦枠材間の下部に設置された下枠材の上面に沓摺が嵌合され、下枠材は凹溝体を備えた下部材と、該下部材に嵌合された上部材とからなり、下部材はスラブに固定され、凹溝体には耐火材が充填されたことを特徴とする。また下部材の側面には配管挿入孔を形成するための円形の切り込みが設けられたことを含むものである。
またドア枠構造の組立方法は、下枠材のないドア枠をスラブ上面に建て込み、該ドア枠の下枠材が設置される両縦枠間のスラブ上面に、凹溝体を備えた下部材を設置し、該下部材の凹溝体に耐火材を充填した後に上部材を嵌合し、該上部材に沓摺を嵌め込むことを特徴とする。
【発明の効果】
【０００６】
沓摺にアンカーを溶接する必要がないので、無溶接での施工ができる。沓摺を後付で簡単に取り付けることができる。また施工時の段差を解消することができるので、施工効率を上げることができる。床下配管を行うときに、下部材の側面への孔開けが簡単にできる。
【発明を実施するための最良の形態】
【０００７】
以下、本発明のドア枠構造およびその組立方法を図面に基づいて説明する。はじめに、ドア枠構造について説明し、次いで、ドア枠構造の組立方法について説明する。なお、各実施の形態において、同じ構成は同じ符号を付して説明し、異なった構成にのみ異なった符号を付して説明する。
【０００８】
図１および図２はドア枠構造１であり、このドア枠構造１はドア枠２の両縦枠材３間の下部に下枠材４が設置されて構成されている。この下枠材４は両縦枠材３の戸当り枠５の一方側に設置され、コンクリートスラブ６上面にアンカーボルト７で固定された下部材８と、この下部材８に嵌合された上部材９とから構成されている。この下部材８は固定プレート１０に凹溝体１１が設置して構成され、この凹溝体１１にロックウールなどの耐火材１２が充填されている。またこの凹溝体１１の側面には、配管挿入孔１３を形成するための円形の切り込み１４が複数設けられ、この切り込み１４により配管挿入孔１３を簡単に形成することができる。したがって、床下配管２０をする場合は、この切り込み１４によって形成した配管挿入孔１３に配管をする。
【０００９】
また、この凹溝体１１に嵌合された上部材９は、凹溝体１１と同じ構成であり、両側端が受けピース１５で縦枠材３に支持されるとともに、中央部が長孔１６の貫通ボルト１７で凹溝体１１に固定されている。また上部材９には沓摺１８が嵌合され、これが皿ビス１９で固定されている。このように沓摺１８の後付が簡単にできるようになっている。
【００１０】
次に、このドア枠構造の組立方法を、図３〜図６に基づいて説明する。はじめに、図３に示すように、内側に戸当り枠５が形成され、かつ下枠材４のないドア枠２をコンクリートスラブ６に建て込むとともに、このドア枠２の周囲に耐火間仕切壁２１を建て込む。この時点で、下枠材４が設置されていないため、台車を使った材料の搬入を支障なくすることができる。
【００１１】
次に、下部材８をコンクリートスラブ６にアンカーボルト７で固定して、縦枠材３間に設置する。そして、床下配管２０がある場合は、下部材８の切り込み１４によって配管挿入孔１３を形成し、この配管挿入孔１３に配管するとともに、凹溝体１１内にロックウールなどの耐火材１２を充填する。
【００１２】
次に、この耐火材１２が充填された下部材８に上部材９を嵌合し、その両端部を受けピース１５で支持するとともに、中央部を長孔１６の貫通ボルト１７で凹溝体１１に固定して下枠材４を組み立てる。次に、この上から沓摺１８を嵌合して、皿ビス１９で固定する。このように沓摺１８を後付けで取り付けることができるので、施工の効率化を図ることができる。
【図面の簡単な説明】
【００１３】
【図１】一部を切断したドア枠構造の斜視図である。
【図２】（１）はドア枠構造の正面図、（２）は（１）のＡ−Ａ線断面図である。
【図３】（１）はドア枠を建て込んだ正面図、（２）は（１）のＢ−Ｂ線断面図である。
【図４】（１）はドア枠の下部に下部材を設置した正面図、（２）は（１）のＣ−Ｃ線断面図である。
【図５】（１）は下部材に上部材を嵌合した正面図、（２）は（１）のＤ−Ｄ線断面図である。
【図６】（１）は上部材に沓摺を嵌合した正面図、（２）は（１）のＥ−Ｅ線断面図である。
【図７】従来のドア枠構造の断面図である。
【符号の説明】
【００１４】
１  ドア枠構造
２  ドア枠
３  縦枠材
４  下枠材
５  戸当り枠
６  コンクリートスラブ
７  アンカーボルト
８  下部材
９  上部材
１０  固定プレート
１１  凹溝体
１２  耐火材
１３  配管挿入孔
１４  切り込み
１５  受けピース
１６  長孔
１７  貫通ボルト
１８、２２  沓摺
１９  皿ビス
２０  床下配管
２１  耐火間仕切壁
２３  立ち上がり部
２４  モルタル
２５  アンカー
【図１】
2005256398.tif 000003
【図２】
2005256398.tif 000004
【図３】
2005256398.tif 000005
【図４】
2005256398.tif 000006
【図５】
2005256398.tif 000007
【図６】
2005256398.tif 000008
【図７】
2005256398.tif 000009